(57)【要約】  【課題】  再生動作を、信号処理のための遅延時間に影響を受けることなく適切に実行できるようにする。  【解決手段】  コンテンツ再生機器１０１と、モニタ１０２を双方向無線通信手段によって接続する。モニタ１０２にコンテンツデータを所定時間蓄積する再生制御用バッファ１１１を備え、再生機器１０１でデータ蓄積メディア１０３から再生されたコンテンツデータを無線によってモニタ１０２に伝送して再生制御用バッファ１１１に蓄積しつつ、読出して、ＬＣＤ１１５で表示させる。この際、再生制御用バッファ１１１の書込み処理動作のステータス情報を再生機器１０１に送って、データ蓄積メディア１０３からのデータ再生動作と、再生制御用バッファ１１１の書込み処理動作を同期させる。  【選択図】図１
2006019781.tif 000002
【特許請求の範囲】
【請求項１】
コンテンツデータが蓄積されたデータ蓄積メディアから、コンテンツデータを読出す読出し手段及びこの読出し手段で読出されたコンテンツデータを送信すると共に送られてくる制御情報を受信する通信手段を備えた再生機器と、
前記再生機器から通信手段を介して送られる前記コンテンツデータを所定期間分蓄積してから出力することが可能なバッファ手段及びこのバッファ手段から出力されるコンテンツデータを提示する提示手段を備えたモニタと、
前記バッファ手段に蓄積されたコンテンツデータの読出しを制御して、前記提示手段で提示されるコンテンツデータの再生を制御すると共に、前記通信手段を介して前記再生機器のデータ蓄積メディアからの読出し処理と前記モニタのバッファ手段への書込み処理を同期させる制御手段と、
を具備したことを特徴とするコンテンツ再生装置。
【請求項２】
前記バッファ手段が、ランダムアクセス可能に構成されていることを特徴とする請求項１に記載離コンテンツ再生装置。
【請求項３】
前記バッファ手段が、循環型に構成され、前記制御手段によって蓄積される情報がフレーム単位で管理されていることを特徴とする請求項１に記載のコンテンツ再生装置。
【請求項４】
前記制御手段は、前記再生機器とモニタの動作ステータス情報に基づいて、前記再生制御用バッファのバッファ容量及び再生方向を特定して、前記データ蓄積メディアの読出し位置を制御するものであることを特徴とする請求項１乃至３のいずれかに記載のコンテンツ再生装置。
【請求項５】
前記制御手段は、前記モニタのステータス情報に基づいて、前記データ蓄積メディアから読出したコンテンツデータの伝送速度を調整するものであることを特徴とする請求項１乃至４のいずれかに記載のコンテンツ再生装置。
【発明の詳細な説明】
【技術分野】
【０００１】
本発明は、例えば、予め蓄積メディアに蓄積されたコンテンツデータを読出して出力することが可能なコンテンツ再生機器と、コンテンツデータに基づく映像及び音声を提示するモニタ機器とを、通信手段によって双方向通信可能に接続し、コンテンツ再生機器で再生れたさコンテンツデータを通信手段によってモニタに伝送して提示するように構成されたコンテンツ再生装置に関する。
【背景技術】
【０００２】
従来、例えばＤＶＤ（Digital Versatile Disk）ドライブあるいはＨＤＤ（Hard Disk Drive）を内蔵し、ＤＶＤに蓄積されたコンテンツデータあるいは、ＨＤＤに記憶されたコンテンツデータを再生して出力することが可能なコンテンツデータ再生機器と、このコンテンツデータ再生機器とは離れた位置に設置した液晶表示パネル（LCD: Liquid Crystal Display）等で構成されるモニタとを無線通信手段によって接続し、コンテンツデータ再生機器で再生したコンテンツデータを無線によって液晶表示パネルに伝送して、それを提示するように構成されたシステムが市場に登場しつつある。
【０００３】
このようなシステムにおいては、無線通信手段として例えばブルートゥース（Bluetooth）（登録商標）が適用され、コンテンツ供給源とモニタとで双方向の通信を可能としている。それによってモニタ側からコンテンツ供給機器に対して、データを蓄積しているメディアを選択し、かつ選択されたメディアに蓄積されているコンテンツ（タイトル）の中から再生したいコンテンツを選択するための制御信号を送って、所望のコンテンツを再生させ、再生したコンテンツを無線通信手段を介して受け取り、それを提示（視聴）することができるように構成されている。
【０００４】
モニタでコンテンツを視聴中に、例えば、早送り再生、あるいは逆早送り再生等の特殊再生を行わせる場合にも、ユーザは、無線通信手段を介して制御信号をコンテンツ再生機器に送って再生動作を制御するように構成されている。
【０００５】
コンテンツ再生機器において、例えばＤＶＤドライブを用いて、ＤＶＤからコンテンツを再生する場合、再生されるコンテンツはＭＰＥＧ（Moving Picture Experts Group）２−ＰＳ（Program Stream）に基づいてフォーマット化されている。一方、無線通信手段で伝送する場合には、ＭＰＥＧ２−ＴＳ（Transport Stream）としてモニタ側に伝送されるものであるため、コンテンツ再生機器内において、再生したＭＰＥＧ２−ＰＳを、ＭＰＥＧ２−ＴＳに変換する処理を実行する必要がある。
【０００６】
この変換処理は所定の時間を費やすものであり、制御信号を無線通信するために必要な処理時間と合わせて、かなりの時間が必要になる。
【０００７】
したがって、特殊再生を実行させるための制御信号を送ってから、それが再生されてモニタに伝送されてくるまでに短からぬ時間が必要となるため、特殊再生をスムーズに実行させることが困難であった。
【０００８】
さらにその詳細について説明する。図５は、双方向無線通信手段を用いた、一般的なコンテンツ再生装置の回路ブロックを示すもので、図５（ａ）はコンテンツ再生機器５０１を示し、図５（ｂ）はモニタ５０２を示す。
【０００９】
コンテンツ再生機器５０１は、コンテンツデータが蓄積されたデータ蓄積メディア５０３を備え、このデータ蓄積メディア５０３から、ＡＴＡ（AT Attachment）Ｉ／Ｆ（Interface）５０４を介してコンテンツデータを再生してＭＰＥＧコーデック５０５に出力する。
【００１０】
ＭＰＥＧコーデック５０５で、ＭＰＥＧ２−ＰＳを一旦、非圧縮のデジタルデータに変換して、ＭＰＥＧエンコーダ５０６に送り、ここで符号化してＭＰＥＧ２−ＴＳを生成し、これを無線送受信モジュール５０７に出力する。
【００１１】
無線送受信モジュール５０７では送られたＭＰＥＧ２−ＴＳを無線フレーム変換して送受信アンテナ５０８から送出する。
【００１２】
また、無線送受信モジュール５０７は、モニタ５０２からのリモコン信号及びモニタの動作ステータス情報を送受信アンテナ５０８で受け、これをＣＰＵ（Central Processing Unit）５０９に送る。ＣＰＵ０９によって、再生動作が制御されると共に、コンテンツ再生機器５０１内の各回路部分が制御される。
【００１３】
図５（ｂ）に示すように、モニタ５０２は、再生機器５０１の送受信アンテナ５０８から送られるフレーム変換されたＭＰＥＧ２−ＴＳを送受信アンテナ５１０で受け、送受信モジュール５１１で無線フレーム変換してＭＰＥＧ２−ＴＳに戻し、ＭＰＥＧデコーダ５１２に出力する。
【００１４】
ＭＰＥＧデコーダ５１２では、ＭＰＥＧ２−ＴＳから番組を構成するＰＥＳを抽出してデコードしてビデオプロセッサ５１３に出力する。ビデオプロセッサ５１３では、ＭＰＥＧデコーダ５１２からのデジタル映像信号を標準テレビジョンフォーマットの信号に変換してディスプレイコントローラ５１４に供給し、ディスプレイコントローラ５１４は、テレビジョン映像信号に基づいて液晶パネル等でなるディスプレイ５１５を駆動し、映像を表示させる。
【００１５】
モニタ５０２には、図示しないリモートコントローラからのリモコン信号を受けるリモコン受光部５１６が設けられ、リモコン受光部５１６で受けたリモコン信号は、ＣＰＵ５１７に供給され、モニタ５０２内の各回路部分を制御する。
【００１６】
また、コンテンツ再生機器５０１に関するリモコン信号は、ＣＰＵ５１７から無線送受信モジュール５１１に送られ、無線フレーム変換処理されて送受信アンテナ５１０からコンテンツ再生機器５０１に伝送される。また、ＣＰＵ５１７は、モニタ５０２の動作状態を示すステータス情報を無線送受信モジュール５１１に送り、ここでフレーム変換処理をして送受信アンテナ５１０からコンテンツ再生機器５０１に伝送する。
【００１７】
以上のように構成されたコンテンツ再生装置の動作タイミングについて、図６を参照して説明する。図６では、ユーザが再生開始のイベントを入力したときの再生処理の時間的経過を実線６０１で示している。
【００１８】
ユーザが、図示しないリモートコントローラを操作して、再生イベント入力をしたとすると、モニタ５０２のＣＰＵ５１７がそれを受けて、リモコン信号を無線送受信モジュール５１１に送り、無線送受信モジュール５１１では無線フレーム変換処理を行う。
【００１９】
次に、無線送受信モジュール５１１は、リモコン信号を無線で再生機器５０１に送り、再生機器５０１では送られたリモコン信号を無線フレーム変換処理で元に戻す。
【００２０】
次に、再生機器５０１はＣＰＵ５０９でリモコン信号を解読して、リモコン信号が再生動作を実行させるものであることを認識する。それによってＣＰＵ５０９は、ＡＴＡＩ／Ｆ５０４を駆使して、データ蓄積メディア５０３にアクセスしてコンテンツデータを読出す。
【００２１】
さらに、読出したコンテンツデータをＭＰＥＧコーデック５０５で、一旦非圧縮のデータに変換した後、ＭＰＥＧエンコーダ５０６で、ＭＰＥＧ２−ＴＳへのストリーム変換処理を施す。
【００２２】
次に、変換したＭＰＥＧ２−ＴＳを無線送受信モジュール５０７に供給し、ここで無線フレーム変換してから無線通信によってモニタ５０２に送る。
【００２３】
モニタ５０２では、無線フレーム変換してから、ストリームデコード処理を実行しさらにビデオプロセッサで処理して、ディスプレイに表示させる。それによってユーザが画面を確認することができる。
【００２４】
ユーザが再生のイベントを入力してから、データ蓄積メディア５０３に蓄積されたコンテンツデータの映像がディスプレイ５１５で表示されるまでの処理の過程でそれぞれ所定の処理時間が費やされ、結局、トータルとしてＴａ時間が必要になることが図６に示されている。
【００２５】
以上のように、従来、再生機器のデータ蓄積メディアに蓄積されているコンテンツデータをモニタ側からの指示で再生しようとする場合、コンテンツの復号処理、符号化処理を行うための時間の他、無線通信のための処理時間が必要であり、実際にコンテンツをディスプレイで表示するまでに少なからぬ時間が経過してしまって問題であった。特に特殊再生を実行させる場合には、応答の速さが重要になるが、信号処理に時間が掛かるため、適切な特殊再生を実行させることが困難であった。
【００２６】
従来、例えば、特許文献１には、ＤＶＤプレーヤにおいて、バッファリング技術を用いて、サブピクチャの表示や音声の再生を滞らせることなく出力するようにした提案が示されているが、この提案は、ＤＶＤレコーダ内で収束する技術であり、コンテンツ再生機器とモニタを無線通信で接続するように構成されたコンテンツ再生装置にそのまま適用することはできない。
【特許文献１】特開２００３−４６９６０号公報
【発明の開示】
【発明が解決しようとする課題】
【００２７】
以上のように、従来、コンテンツ再生機器と、モニタを無線通信手段で繋いで、モニタからの指示で特殊再生を実行させようとすると、適切な再生を行わせることが困難であった。
【００２８】
本発明は、以上の点に対処してなされたものであり、モニタ側に、再生機器から送られたＭＰＥＧ２−ＴＳを所定期間保存するバッファを設け、このバッファを制御して、特殊再生のためのデータを読出すように構成することで、応答性を確保し、適切な特殊再生を行わせることができるコンテンツ再生装置を提供することを目的とする。
【課題を解決するための手段】
【００２９】
本発明のコンテンツ再生装置は、コンテンツデータが蓄積されたデータ蓄積メディアから、コンテンツデータを読出す読出し手段及びこの読出し手段で読出されたコンテンツデータを送信すると共に送られてくる制御情報を受信する通信手段を備えた再生機器と、前記再生機器から通信手段を介して送られる前記コンテンツデータを所定期間分蓄積してから出力することが可能なバッファ手段及びこのバッファ手段から出力されるコンテンツデータを提示する提示手段を備えたモニタと、前記バッファ手段に蓄積されたコンテンツデータの読出しを制御して、前記提示手段で提示されるコンテンツデータの再生を制御すると共に、前記通信手段を介して前記再生機器のデータ蓄積メディアからの読出し処理と前記モニタのバッファ手段への書込み処理を同期させる制御手段と、を具備したことを特徴とする。
【発明の効果】
【００３０】
本発明によれば、所望の特殊再生を適正に実行させることができるものである。
【発明を実施するための最良の形態】
【００３１】
以下、図面を参照して、この発明のコンテンツ再生装置を詳細に説明する。図１は、本発明のコンテンツ再生装置の一実施の形態を示す回路ブロック図である。本発明のコンテンツ再生装置１００は、コンテンツデータを再生する再生機器１０１と、この再生機器１０１で再生されたコンテンツを視聴するために提示するモニタ１０２で構成されており、図１（ａ）が再生機器１０１を示し図１（ｂ）がモニタ１０２を示している。
【００３２】
図１（ａ）において、再生機器１０１は、コンテンツデータが予め蓄積されたデータ蓄積メディア１０３と、このデータ蓄積メディア１０３からコンテンツデータを読出すＡＴＡＩ／Ｆ１０４を備える。
【００３３】
ＡＴＡＩ／Ｆ１０４で読出されたコンテンツデータは、ＭＰＥＧコンバータ１０５で、ＭＰＥＧ２−ＴＳに変換されて無線送受信モジュール１０６に供給される。
【００３４】
無線送受信モジュール１０６では、ＭＰＥＧ２−ＴＳを無線フレーム変換して、送受信アンテナ１０７を介してモニタ１０２に向けて送信する。
【００３５】
また、無線送受信モジュール１０６は、モニタ１０２からのリモコン信号あるいはモニタの動作ステータス情報を送受信アンテナ１０７で受け、これをＣＰＵ１０８に送る。ＣＰＵ１０８によって、再生動作が開始されると共に、再生機器１０１内の各回路部分が制御される。
【００３６】
また、ＣＰＵ１０８は、再生機器１０１の動作状態を示すステータス情報を、無線送受信モジュール１０６に送り、無線フレーム変換して、送受信アンテナ１０７を介してモニタ１０２に向けて送信する。
【００３７】
図１（ｂ）に示すように、モニタ１０２は、再生機器１０１の送受信アンテナ１０７から送られる無線フレーム変換されたＭＰＥＧ２−ＴＳを送受信アンテナ１０９で受け、無線送受信モジュール１１０で、無線フレーム変換処理を施してＭＰＥＧ２−ＴＳに戻し、再生制御用バッファ１１１に出力する。
【００３８】
再生制御用バッファ１１１は、映像データとして常時一定量のフレームのバッファリングを行う機能を供えた循環形式のバッファであり、例えば、現在の再生点に対して時間的に前方及び後方の複数フレームのデータが蓄積されるものであるが、詳細については後述する。
【００３９】
再生制御用バッファ１１１の出力は、ＭＰＥＧデコーダ１１２に供給され、ＭＰＥＧ２−ＴＳから番組を構成するＰＥＳを抽出してデコードしてビデオプロセッサ１１３に出力する。
【００４０】
ビデオプロセッサ１１３では、ＭＰＥＧデコーダ１１２からのデジタル映像データを標準テレビジョンフォーマットの信号に変換してディスプレイコントローラ１１４に供給し、ディスプレイコントローラ１１４によって、そのテレビジョン信号に基づいて液晶パネル等でなるディスプレイ１１５を駆動して映像を表示する。
【００４１】
モニタ１０２には、図示しないリモートコントローラからのリモコン信号を受けるリモコン受光部１１６が設けられ、リモコン受光部１１６で受けたリモコン信号は、ＣＰＵ１１７に供給され、モニタ１０２内の各回路部分を制御する。
【００４２】
また、再生機器１０１に関するリモコン信号は、ＣＰＵ１１７から無線送受信モジュール１１０に供給され、無線フレーム変換されて送受受信アンテナ１０９から再生機器１０１に向けて伝送される。
【００４３】
さらにＣＰＵ１１７は、モニタ１０２の動作状態を示すステータス情報を、無線送受信モジュール１１０に送り、無線フレーム変換して、送受信アンテナ１０９を介して再生機器１０１に向けて送信する。
【００４４】
なお、受信器１０１及びモニタ１０２において、音声データを処理する回路ブロックが示されていないが、これは説明を分かり易くするために採った措置の結果であり、データ蓄積メディア１０３に蓄積されたデータは、映像データと音声データを含むものであり、ＭＰＥＧコンバータ１０５から出力されるＭＰＥＧ２−ＴＳも映像データと音声データを含むものである。
【００４５】
さらにモニタ１０２には、ＭＰＥＧデコーダ１１２で復号された音声データを処理する回路ブロックと、音声信号を音声として出力するためのスピーカ等の音声出力手段が設けられているものであるが、省略されている。
【００４６】
さて、以上のように構成されたコンテンツ再生装置１００において、ユーザが、図示しないリモートコントローラを操作して、再生イベントを入力したとすると、その信号がリモコン受光部１１６からＣＰＵ１１７に伝送され、ＣＰＵ１１７はそれを受けて、リモコン信号と動作ステータス情報とを共に無線送受信モジュール１１０に供給する。
【００４７】
無線送受信モジュール１１０では、それを無線フレームに変換して、送受信アンテナ１０９から送出する。  
再生機器１０１では、モニタ１０２から送出された情報を送受信アンテナ１０７を介して無線送受信モジュール１０６で受け、ここで無線フレーム変換を行って、元のリモコン信号及び動作ステータス情報を復元し、これをＣＰＵ１０８に供給する。
【００４８】
ＣＰＵ１０８はそれを受けて、ＡＴＡＩ／Ｆ１１１を介してデータ蓄積メディア１０３に蓄積されているデータを順次読出すように制御する。データ蓄積メディア１０３から読出されたデータは、ＭＰＥＧコンバータ１０５でＭＰＥＧ２−ＴＳに変換されて、無線送受信モジュール１０６に送られ、ここで無線フレーム変換処理を施されて、送受信アンテナ１０７から送出される。
【００４９】
モニタ１０２では、再生機器１０１から送出されたデータを送受信アンテナ１０９で受け、無線送受信モジュール１１０で無線フレーム処理を施されて元のＭＰＥＧ２−ＴＳに戻されて再生制御用バッファ１１１に蓄積される。
【００５０】
再生制御用バッファ１１１は、ＣＰＵ１１７によってフレーム管理可能な状態でデータが蓄積され、ランダムにアクセス可能である。また、再生制御用バッファ１１１は、データ書込みと読出しを非同期で実行できるように構成されている。
【００５１】
再生制御用バッファ１１１に蓄積された映像データは、ＭＰＥＧデコーダ１１２、ビデオプロセッサ１１３，ＬＣＤコントローラ１１４を介してＬＣＤ１１５で表示されるものであるが、ＬＣＤ１１５で表示されている映像について、早送り再生、逆早送り再生等の特殊再生を行わせる場合には、ユーザは、図示しないリモートコントローラを操作して、特殊再生のためのイベントを入力する。ＣＰＵ１１７はそれを受けて、再生制御用バッファ１１１に蓄積されたデータを、要求された特殊再生モードに合わせて読出してＭＰＥＧデコーダ１１２に送る。
【００５２】
すなわち、早送り再生では、Ｉ（Intra）ピクチャ以外のフレームを適宜間引いて時間軸を短くしてＭＰＥＧデコーダ１１２に送り、逆早送り再生では、同じ処理を時間が反転するように行い、処理したデータをＭＰＥＧデコーダ１１２に供給する。その結果、ビデオプロセッサ１１３、ＬＣＤコントローラ１１４を経て、ＬＣＤ１１５に目的の特殊再生映像を表示させることができるものである。
【００５３】
なお、再生機器１０１のデータ蓄積メディア１０３には、ＣＰＵ１０８がフレーム単位でアクセス可能な状態でデータが蓄積されており、データの読出しに際しては、モニタ１０２から無線通信によって送られる動作ステータス情報によって、再生制御用バッファ１１１のデータ書込みと同期をとるように構成されている。
【００５４】
例えばデータ蓄積メディア１０３にＭＰＥＧ２のＧＯＰ（Group Of Picture）の形式で圧縮されたデータが蓄積されている場合、データ蓄積メディア１０３に蓄積されたデータストリーム中のＰＴＳ（Presentation Time Stamp）と、再生制御用バッファ１１１に蓄積されたデータストリーム中のＰＴＳとによって、１５フレーム単位で同期をとり、再生データの連続性を維持しつつバッファリングを行うように構成されている。
【００５５】
このように、モニタ１０２の再生制御用バッファ１１１に蓄積されたデータによって特殊再生が実行されるため、時間的な遅れを考慮することなく、特殊再生を行わせることができ、さらに再生機器１０１のデータ蓄積メディア１０３に蓄積されたデータの読出しと、再生制御用バッファ１１１からのデータの書込みを同期させるようにしたので、連続性も維持することができるものである。
【００５６】
なお、再生機器１０１は、モニタ１０２からのステータス情報に応じて、モニタ１０２に送るコンテンツデータの伝送レートを変更できるように構成することもできる。そのように構成することによって、新規にタイトルを再生する場合に、伝送レートを高めて、再生制御用バッファ１１１へのデータの充填と、ＬＣＤ１１５での出画を早めることができる。
【００５７】
図２に、再生制御用バッファ１１１によるバッファリングの概念図を示す。再生制御用バッファ１１１は、循環式のバッファであり、リング状に示される面積がバッファとしての全容量を示している。図２（ａ）は正方向再生時を説明するためのものであり、図２（ｂ）は逆方向再生時のものである。
【００５８】
図２（ａ）において、再生ポインタ（Play Pointer）が現在再生中のデータ（フレーム位置）を示し、書込みポインタ（Write Pointer）は、この再生制御用バッファ１１１に入力される最新の入力データの書込み位置を示す。また、読出し終了ポインタ（Read End Pointer）は、バッファリングしたデータ領域の最古のデータ位置を示し、再生ポインタを挟んで、書込みポインタと読出し終了ポインタで示す領域がバッファリングされているデータの容量を示す。
【００５９】
このデータ容量は、ユーザが再生イベントを入力してから再生された映像が実際に表示されるまでの遅れ時間を吸収するに充分な容量に設定されている。
【００６０】
図２（ａ）に示すように、正方向の再生状態では、再生ポインタ、書込みポインタ及び読出し終了ポインタ共、矢印方向に移動してデータを更新していく。また、図２（ｂ）に示すように、逆方向再生時には、再生ポインタの再生方向が逆転すると共に、書込みポインタと読出し終了ポインタは、互いに入替わり、データ更新方向が逆になることにより、再生ポインタの進行方向のデータが補充される。
【００６１】
図３は、ユーザが再生のイベントを入力してから、実際に再生映像がＬＣＤ１１５で表示されるまでの処理の経過時間を説明するためのタイミングチャートである。
【００６２】
再生制御用バッファ１１１を用いて再生動作を制御するには、当然ながらその前提として、再生制御用バッファ１１１にコンテンツデータが蓄積されている必要があり、図３のタイミングチャートでは、まず再生制御用バッファ１１１にコンテンツデータを蓄積する処理を行う。これは通常の再生処理の前段階で行われるタイトル選択処理の過程で実行されるものであり、ユーザはまず、データ蓄積メディア１０３に蓄積されているタイトルを選択する。この選択処理は、例えばデータ蓄積メディア１０３に蓄積されているタイトルのリストをモニタ１０２に取り込んで、これをＬＣＤ１１５に表示させ、ユーザが表示されたリストから、図示しないリモートコントローラで選択するという一般的な処理によって実行可能である。
【００６３】
図３の点線３０１で示すように、モニタ１０２のＣＰＵ１１７は、ユーザが選択したタイトル情報を、再生機器１０１に送信し、再生機器１０１では、ＣＰＵ１０８が、データ蓄積メディア１０３に蓄積されている、タイトル情報で特定されるデータを先頭から読出して、これをＭＰＥＧコンバータ１０５でＴＳに変換して、モニタ１０２に送信する。モニタ１０２では、送られたデータを、再生制御用バッファ１１１に蓄積させる。
【００６４】
再生制御用バッファ１１１にデータが蓄積されている状態において、ユーザが再生イベントを入力したとすると、図３の実線３０２で示すように、モニタ１０２のＣＰＵ１１７がそれを受けて、再生制御用バッファ１１１からデータを読出して、ＭＰＥＧデコーダ１１２に供給してストリームデコード処理を施して、非圧縮の映像データに変換し、これをビデオプロセッサ１１３に送って、標準テレビジョンのフォーマットに変換する処理を施し、ＬＣＤコントローラ１１４を介してＬＣＤ１１５で表示させる。
【００６５】
この際、モニタ１０２のＣＰＵ１１７は、モニタ１０２の動作ステータス情報を再生機器１０１に送って、データ蓄積メディア１０３のデータ読出し処理と、モニタ１０２の再生制御用バッファ１１１のデータ書込み処理を同期させる。
【００６６】
すなわち、モニタ１０２のＣＰＵ１１７が、再生制御用バッファ１１１の書込みポインタの位置のフレーム情報（例えばＰＴＳ）を含むスタータス情報を、再生機器１０１のＣＰＵ１０８に送り、ＣＰＵ１０８が、再生制御用バッファ１１１の書込みポインタが示す再生方向の先頭フレームに連続するフレームデータを読出し、これがＴＳに変換された後、モニタ１０２に送られて再生制御用バッファ１１１に書込まれるものである。
【００６７】
以上のように、再生に際しては、再生制御用バッファ１１１から読出したデータに基づいて実行するものであるため、特殊再生を行う場合においても、再生機器１０１にリモコン信号を送って、データ蓄積メディア１０３からのデータ読出し処理を細かく制御するということが必要でなくなるため、処理時間の遅れに影響を受けることのない、多様な再生を実行させることができるものである。
【００６８】
図４は、本発明のコンテンツ再生装置の他の実施の形態の一例を示すものであり、この実施の形態では、コンテンツ再生装置４００は、図４（ａ）で示す再生機器４０１と、図４（ｂ）に示すモニタ４０２で構成される。なお、図４において、図１と同じ構成部分に同じ符号を付して詳細な説明は省略する。
【００６９】
再生機器４０１は、放送信号を受信する受信機器に、放送によって伝送されるコンテンツデータを記録し、再生するための機能を加えた機器として構成されている。
【００７０】
すなわち、再生機器４０１は、放送を受信するためのアンテナ４０３からの放送信号から所望のチャンネルを選局して、ＭＰＥＧ２−ＴＳを出力するチューナ４０４を備える。
【００７１】
チューナ４０４の出力は、セレクタ４０５に供給され、ここで、外部入力端子４０６から供給される例えばＤＶＤプレーヤ４０７の再生信号等と切換選択されて出力される。
【００７２】
セレクタ４０５の出力は、ＭＰＥＧデコーダ４０８でデコードされ、非圧縮のデジタル映像信号に変換されてＭＰＥＧコーデック４０９に供給される。
【００７３】
ＭＰＥＧコーデック４０９では、入力されたデジタル映像信号に対してＭＰＥＧ２規格に基づく符号化処理を行い、ＭＰＥＧ２−ＰＥＳを生成して、ＭＰＥＧコンバータ４１０に導出する。また、ＭＰＥＧ２−ＰＳを生成して、ＡＴＡＩ／Ｆ４１１に導出する。
【００７４】
ＡＴＡＩ／Ｆ４１１は、データ蓄積メディアとしてのＤＶＤドライブ４１２とＨＤＤ４１３に接続されており、ＭＰＥＧコーデック４０９からのコンテンツデータを、ＤＶＤドライブ４１２あるいはＨＤＤ４１３に記録し、かつそれらに記録されたデータを読出して、ＭＰＥＧコーデック４０９に導出する。
【００７５】
ＤＶＤドライブ４１２あるいはＨＤＤ４１３からデータを読出す、いわゆる再生動作時には、ＭＰＥＧコーデック４０９では、ＡＴＡＩ／Ｆ４１１から供給されるデータからＭＰＥＧ２−ＰＥＳを抽出して、ＭＰＥＧコンバータ４１０に導出する。
【００７６】
ＭＰＥＧコンバータ４１０は、チューナ４０４による放送受信時に、その受信信号に基づいてＭＰＥＧコーデック１０８によって生成されたＭＰＥＧ２−ＰＥＳ及び、再生動作時にＡＴＡＩ／Ｆ４１１からのデータに基づいて生成されたＭＰＥＧ２−ＰＥＳを、ＭＰＥＧ−ＴＳに変換して、無線送受信モジュール４１４に導出する。
【００７７】
無線送受信モジュール４１４では送られたＭＰＥＧ２−ＴＳに対して無線フレーム変換処理を施して、送受信アンテナ４１５から送出する。
【００７８】
また、無線送受信モジュール４１４は、モニタ４０２からのリモコン信号あるいはモニタ４０２の動作ステータス情報を送受信アンテナ４１５で受け、これをＣＰＵ４１６に送る。ＣＰＵ４１６によって、再生機器４０１内の各回路部分が制御される。
【００７９】
また、ＣＰＵ４１６は、再生機器４０１の動作状態を示すステータス情報を無線送受信モジュール４１４から送受信アンテナ４１５を介してモニタ４０２に送る。
【００８０】
さらにまた、再生機器４０１には、リモコン信号を送出するためのリモコン発光部４１７が設けられ、このリモコン発光部４１７から、ＤＶＤプレーヤ４０７を制御するためのリモコン信号を発することが可能である。リモコン発光部４１７からのリモコン信号は例えば、ユーザがモニタ４０２に対して図示しないリモートコントローラでリモコン信号を送り、これを再生機器４０１に伝送し、ＣＰＵ４１６がそれに基づいて生成するように構成することが可能である。
【００８１】
また、モニタ４０２は、実質的に図１（ｂ）に示すモニタ１０２と同構成であるが、再生機器４０１のリモコン発光部４１７から送信されるリモコン信号を、モニタ４０２から送るために、リモコン受光部１１６で受けたリモコン信号をＣＰＵ１１７を経由せずに直接、無線送受信モジュール１１０に送出する経路が設けられている。
【００８２】
図４に示す実施の形態によれば、データ蓄積メディアとしてのＤＶＤドライブ４１２及びＨＤＤ４１３にデータを記録し、それを再生してモニタ４０２で視聴することが可能であり、加えて、外部接続機器としてのＤＶＤプレーヤ４０７で再生したコンテンツを選択して、モニタ４０２に送ってそれを視聴することも可能である。
【００８３】
以上のように、本発明によれば、再生動作を、再生制御用バッファ１１１から読出したデータに基づいて実行するものであるため、特殊再生を行う場合においても、再生機器１０１にリモコン信号を送って、データ蓄積メディア１０３からのデータ読出し処理を細かく制御するということが必要でなくなるため、処理時間の遅れに影響を受けることのない、多様な再生を実行させることができるものである。  
本発明は、その趣旨を逸脱しない範囲で種々実施可能である
【図面の簡単な説明】
【００８４】
【図１】本発明に係るコンテンツ再生装置の一実施の形態を示す回路ブロック図。
【図２】図１に示す装置の要部の動作を説明するための構成図。
【図３】図１に示す装置の動作を説明するためのタイミングチャート。
【図４】本発明に係るコンテンツ再生装置の他の実施の形態を示す回路ブロック図。
【図５】一般的なコンテンツ記録装置を示す回路ブロック図。
【図６】図５に示す装置の動作のタイミングチャートを説明するための図。
【符号の説明】
【００８５】
１００…コンテンツ再生装置
１０１…再生機器
１０２…モニタ
１０３…データ蓄積メディア
１０４…ＡＴＡＩ／Ｆ
１０５…ＭＰＥＧコンバータ
１０６…無線送受信モジュール
１０７…送受信アンテナ
１０８…ＣＰＵ
１０９…送受信アンテナ
１１０…無線送受信モジュール
１１１…再生制御用バッファ
１１２…ＭＰＥＧデコーダ
１１３…ビデオプロセッサ
１１４…ＬＣＤコントローラ
１１５…ＬＣＤ
１１６…リモコン受光部
１１７…ＣＰＵ
【図１】
2006019781.tif 000003
【図２】
2006019781.tif 000004
【図３】
2006019781.tif 000005
【図４】
2006019781.tif 000006
【図５】
2006019781.tif 000007
【図６】
2006019781.tif 000008